(57)【要約】      （修正有）【課題】利用者の視点の位置によって表示絵柄の一部が暗くなってしまったり、導光板の反りや撓みによって表示絵柄の一部が暗くなってしまう事態の発生を低減できる表示装置を提供する。【解決手段】端面５から入射した光を伝搬するとともに、反射面２に設けられた第１プリズム７で反射させ、反射面２と向かい合う出射面６から出射させる導光板１と、導光板１の端面５に光を入射させる光源４とを備え、複数の第１プリズム７の集合体によってパターン３が形成された表示装置において、光源４の中心と第１プリズム７の中心とを結ぶ線分の方向と、第１プリズム７の長手方向に垂直な方向との成す角度θｒが、−４５°／２≦θｒ≦４５°／２を満たしてパターン３の範囲内で複数の各第１プリズム７の角度θｒがランダムに分散している、ことを特徴とする。【選択図】図１
2019139113.tif 000002
【特許請求の範囲】
【請求項１】
端面から入射した光を伝搬するとともに、反射面に設けられた第１プリズムで反射させ、前記反射面と向かい合う出射面から出射させる導光板と、
前記導光板の端面に光を入射させる光源と
を備え、複数の前記第１プリズムの集合体によってパターンが形成された表示装置において、
前記光源の中心と前記第１プリズムの中心とを結ぶ線分の方向と、前記第１プリズムの長手方向に垂直な方向との成す角度θｒが、
−４５°／２ ≦ θｒ ≦４５°／２
を満たして前記パターンの範囲内で複数の各前記第１プリズムの角度θｒがランダムに分散している、表示装置。
【請求項２】
前記パターンの範囲内の前記第１プリズムの総個数をｎＡ、角度θｒ＝０の前記第１プリズムの個数をｎ０とした時に、ｎ０／ｎＡ ≦ ７０％である、
請求項１記載の表示装置。
【請求項３】
端面から入射した光を伝搬するとともに、反射面に設けられた第１プリズムで反射させ、前記反射面と向かい合う出射面から出射させる導光板と、
前記導光板の端面に光を入射させる複数の光源とを備え、複数の前記第１プリズムの集合体によってパターンが形成された表示装置において、
複数の前記光源の両端の間隔は、前記パターンの幅より小さく、
複数の前記光源の両端と前記パターンの端とを結ぶ線分の交点の３点で形成される領域内の点と、前記第１プリズムの中心とを結ぶ線分の方向と、前記第１プリズムの長手方向と垂直な方向との成す角度θｒが、
−４５°／２ ≦ θｒ≦ ４５°／２
を満たして前記パターンの範囲内で複数の各前記第１プリズムの角度θｒがランダムに分散している、表示装置。
【請求項４】
端面から入射した光を伝搬するとともに、反射面に設けられた前記プリズムで反射させ、前記反射面と向かい合う出射面から出射させる導光板と、
前記導光板の端面に光を入射させる複数の光源とを備え、複数の前記第１プリズムの集合体によってパターンが形成された表示装置において、
複数の前記光源のうち前記第１プリズムの各々に最も近い光源と前記第１プリズムの中心とを結ぶ線分の方向と、前記第１プリズムの長手方向に垂直な方向との成す角度θｒが、
−４５°／２ ≦ θｒ ≦４５°／２
を満たして前記パターンの範囲内で複数の各前記第１プリズムの角度θｒがランダムに分散している、表示装置。
【請求項５】
端面から入射した光を伝搬するとともに、反射面に設けられた第１，第２プリズムで反射させ、前記反射面と向かい合う出射面から出射させる導光板と、
前記導光板の端面に光を入射させる第１，第２光源とを備え、
複数の前記第１プリズムの集合体によって前記第１光源からの光を反射して第１パターンが形成され、
複数の前記第２プリズムの集合体によって前記第２光源からの光を反射して第２パターンが形成された表示装置において、
前記第１光源と前記第１プリズムの中心とを結ぶ線分の方向と、前記第１プリズムの長手方向に垂直な方向との成す角度θｒ７が、
−４５°／４ ≦ θｒ７ ≦ ４５°／４
を満たして前記第１パターンの範囲内で複数の各前記第１プリズムの角度θｒ７がランダムに分散しており、
前記第２光源と前記第２プリズムの中心とを結ぶ線分の方向と、前記第２プリズムの長手方向に垂直な方向との成す角度θｒ１０が、
−４５°／４ ≦ θｒ１０ ≦ ４５°／４
を満たして前記第２パターンの範囲内で複数の各前記第２プリズムの角度θｒ１０がランダムに分散している、表示装置。
【請求項６】
端面から入射した光を伝搬するとともに、反射面に設けられた第１，第２プリズムで反射させ、前記反射面と向かい合う出射面から出射させる導光板と、
前記導光板の端面に光を入射させる複数の第１光源と、
前記導光板の端面に光を入射させる複数の第２光源とを備え、
複数の前記第１プリズムの集合体によって前記第１光源からの光を反射して第１パターンが形成され、
複数の前記第２プリズムの集合体によって前記第２光源からの光を反射して第２パターンが形成された表示装置において、
前記第１光源の両端の間隔は前記第１パターンの幅より小さく、
前記第２光源の両端の間隔は前記第２パターンの幅より小さく、
前記第１光源の両端と前記第１パターンの端とを結ぶ線分の交点と、前記第１光源の両端の３点で形成される領域内の点と、前記第１プリズムの中心とを結ぶ線分の方向と、前記第１プリズムの長手方向に垂直な方向との成す角度θｒ７が、
−４５°／４ ≦ θｒ７ ≦ ４５°／４
を満たして前記第１パターンの範囲内で複数の各前記第１プリズムの角度θｒ７がランダムに分散しており、
前記第２光源の端と前記第２パターンの端とを結ぶ線分の交点と、前記第２光源の両端の３点で形成される領域内の点と、前記第２プリズムの中心とを結ぶ線分の方向と、前記第２プリズムの長手方向に垂直な方向との成す角度θｒ１０が、
−４５°／４ ≦ θｒ１０ ≦ ４５°／４
を満たして前記第２パターンの範囲内で複数の各前記第２プリズムの角度θｒ１０がランダムに分散している、表示装置。
【請求項７】
端面から入射した光を伝搬するとともに、反射面に設けられた第１，第２プリズムで反射させ、前記反射面と向かい合う出射面から出射させる導光板と、
前記導光板の端面に光を入射させる第１光源と、
前記導光板の端面に光を入射させる第２光源と
を備え、
複数の前記第１プリズムの集合体によって前記第１光源からの光を反射して第１パターンが形成され、
複数の前記第２プリズムの集合体によって前記第２光源からの光を反射して第２パターンが形成された表示装置において、
複数の前記第１光源の両端の間隔は、前記第１パターンの幅より小さく、
複数の前記第２光源の両端の間隔は、前記第２パターンの幅より小さく、
前記第１光源の両端と前記第１パターンの端とを結ぶ線分の交点の３点で形成される領域内の点と、前記第１プリズムの中心とを結ぶ線分の方向と、前記第１プリズムの長手方向と垂直な方向との成す角度θｒ７が、
−４５°／４ ≦ θｒ７ ≦ ４５°／４
を満たして前記第１パターンの範囲内で複数の各前記第１プリズムの角度θｒ７がランダムに分散しており、
前記第２光源の両端と前記第２パターンの端とを結ぶ線分の交点の３点で形成される領域内の点と、前記第２プリズムの中心とを結ぶ線分の方向と、前記第２プリズムの長手方向と垂直な方向との成す角度θｒ１０が、
−４５°／４ ≦ θｒ１０ ≦ ４５°／４
を満たして前記第２パターンの範囲内で複数の各前記第２プリズムの角度θｒ１０がランダムに分散している、表示装置。
【請求項８】
請求項１〜７のいずれかに記載の表示装置を搭載した、遊技装置。
【発明の詳細な説明】
【技術分野】
【０００１】
本発明は、例えば、電気機器等において文字や図形、絵柄等の情報を表示する表示装置に関する。
【背景技術】
【０００２】
特許文献１などには、図１２（ａ）（ｂ）の表示装置が開示されている。
【０００３】
これは、透明な導光板１０１の反射面１０２には、第１パターン１０３の絵柄に沿って配列された複数の第１プリズム１０７と、第２パターン１０８の絵柄に沿って配列された複数の第２プリズム１１０が設けられている。第１プリズム１０７は、第１光源１０４に対して正対するように向けられた反射面１０７ａを有しており、第１光源１０４から発して入射面１０５から導光板１０１に入射した可視光を、導光板１０１の出射面１０６へ向けて反射する。第２プリズム１１０は、第２光源１０９に対して正対するように向けられた反射面１１０ａを有しており、第２光源１０９から発して入射面１０５から導光板１０１に入射した光を出射面１０６へ向けて反射する。
【０００４】
この表示装置では、第２光源１０９を消灯し、第１光源１０４を発光させると、第１パターン１０３の絵柄が第１プリズム１０７によって表示される。また、第１光源１０４を消灯し、第２光源１０９を発光させると、第２パターン１０８の絵柄が第２プリズム１１０によって表示される。
【先行技術文献】
【特許文献】
【０００５】
【特許文献１】特開２０１６−１２２１６２号公報
【発明の概要】
【発明が解決しようとする課題】
【０００６】
例えばパチンコ台に搭載して使う表示装置を想定すると、遊技者の姿勢のブレなどを考慮し、視野角を±１０°から±２０°程度確保する必要がある。
【０００７】
しかしながら、図１２に示した従来の表示装置では、視野角が狭いとか、第１パターン１０３または第２パターン１０８による絵柄が部分的に見えない状態になる可能性がある。これを図１３（ａ）（ｂ）で説明する。
【０００８】
図１３（ａ）（ｂ）は、光源からの光が導光板内のプリズムに反射する様子を示す。
【０００９】
図１３（ａ）は、遊技者の目が導光板１０１の正面位置Ｉにある場合と、遊技者の目が導光板１０１の正面位置から角度θだけずれた位置IIにある場合を示す。光源１０４からの光が第１プリズム１０７で反射して出射面１０６から出射した光は、遊技者の目が正面位置Ｉにある場合には、これを確認できる。逆に言うと、遊技者の目が正面位置Ｉにある場合には、第１プリズム１０７の反射面でもって光源１０４の像を見ることができる。その結果、明るい点として第１プリズム１０７を認識できる。一方、遊技者の目が位置IIにある場合、θが例えば１０°と大きいと、第１プリズム１０７の反射面でもって光源１０４の像を見ることができなくなる。そのため第１プリズム１０７を明るい点として認識できない。
【００１０】
この現象を、導光板の複数のプリズムにあてはめた時の概略説明図を図１３（ｂ）に示す。
【００１１】
導光板１０１の中心Ｏから垂直な方向に遊技者の目が位置しているとする。中心点Ｏから距離ｌ離れたところに点Ａ，Ｂを設定し、遊技者の目と中心点Ｏを結ぶ線分と、遊技者の目と点Ａを結ぶ線分のなす角をθＡとする。遊技者の目と中心点Ｏを結ぶ線分と、遊技者の目と点Ｂとを結ぶ線分のなす角度をθＢとする。中心点Ｏ，点Ａ，Ｂの位置には、それぞれ光源に正対したプリズムが設置されているとする。θＡ，θＢが例えば１０°程度で大きい場合、中心点Ｏのプリズムは明るい点として認識されるが、点Ａ，Ｂのプリズムは明るい点として認識できない。このように遊技者の目で見る導光板１０１のプリズムの位置によっては、絵柄が明るく見えない現象が生じる。
【００１２】
図１４（ａ）のように、第１プリズム１０７の集合体で形成された第１パターン１０３の絵柄を見る場合、一例として図１４（ｂ）に示すように、第１パターン１０３の絵柄中に暗部１１０，１１１が生じてしまう。
【００１３】
多くの導光板１０１は、透明樹脂を使った金型成形工法で作製されるが、導光板１０１の成形品に反りや撓みが生じることは少なくない。導光板１０１に反りや撓みがあると、本来は見える筈の絵柄が見えなくなる現象が生じる。これを図１５で説明する。
【００１４】
図１５は、撓みのある導光板１０１に、光源１０４に正対させるように第１プリズム１０７を設置し、遊技者の導光板１０１の正面位置Ｉから見る状況を示している。
【００１５】
光源１０４から出射した光が導光板１０１に入光し、全反射で伝搬する。導光板１０１の撓みによって、反射ごとに進む方向が変化する。その結果、第１プリズム１０７で反射した光１１２は、導光板１０１の正面に居る遊技者の目に進んでこない。そのため、第１プリズム１０７を明るい点として認識できないことになる。これによって、図１４（ｂ）で説明したと同じように、表示絵柄が一部明るく見えないという現象が生じる。
【００１６】
本発明は、利用者の視点の位置によって表示絵柄の一部が暗くなってしまったり、導光板の反りや撓みによって表示絵柄の一部が暗くなってしまう事態の発生を低減できる表示装置を提供することを目的とする。
【課題を解決するための手段】
【００１７】
本発明の表示装置は、端面から入射した光を伝搬するとともに、反射面に設けられた第１プリズムで反射させ、前記反射面と向かい合う出射面から出射させる導光板と、前記導光板の端面に光を入射させる光源とを備え、複数の前記第１プリズムの集合体によってパターンが形成された表示装置において、前記光源の中心と前記第１プリズムの中心とを結ぶ線分の方向と、前記第１プリズムの長手方向に垂直な方向との成す角度θｒが、−４５°／２ ≦ θｒ ≦４５°／２を満たして前記パターンの範囲内で複数の各前記第１プリズムの角度θｒがランダムに分散している、ことを特徴とする。
【００１８】
また、前記パターンの範囲内の前記第１プリズムの総個数をｎＡ、角度θｒ＝０の前記第１プリズムの個数をｎ０とした時に、ｎ０／ｎＡ ≦７０％である、ことが好ましい。
【００１９】
また、本発明の表示装置は、端面から入射した光を伝搬するとともに、反射面に設けられた第１プリズムで反射させ、前記反射面と向かい合う出射面から出射させる導光板と、前記導光板の端面に光を入射させる複数の光源とを備え、複数の前記第１プリズムの集合体によってパターンが形成された表示装置において、複数の前記光源の両端の間隔は、前記パターンの幅より小さく、複数の前記光源の両端と前記パターンの端とを結ぶ線分の交点の３点で形成される領域内の点と、前記第１プリズムの中心とを結ぶ線分の方向と、前記第１プリズムの長手方向と垂直な方向との成す角度θｒが、−４５°／２ ≦ θｒ ≦４５°／２を満たして前記パターンの範囲内で複数の各前記第１プリズムの角度θｒがランダムに分散している、ことを特徴とする。
【００２０】
また、本発明の表示装置は、端面から入射した光を伝搬するとともに、反射面に設けられた前記プリズムで反射させ、前記反射面と向かい合う出射面から出射させる導光板と、前記導光板の端面に光を入射させる複数の光源とを備え、複数の前記第１プリズムの集合体によってパターンが形成された表示装置において、複数の前記光源のうち前記第１プリズムの各々に最も近い光源と前記第１プリズムの中心とを結ぶ線分の方向と、前記第１プリズムの長手方向に垂直な方向との成す角度θｒが、−４５°／２ ≦ θｒ ≦４５°／２を満たして前記パターンの範囲内で複数の各前記第１プリズムの角度θｒがランダムに分散している、ことを特徴とする。
【００２１】
また、本発明の表示装置は、端面から入射した光を伝搬するとともに、反射面に設けられた第１，第２プリズムで反射させ、前記反射面と向かい合う出射面から出射させる導光板と、前記導光板の端面に光を入射させる第１，第２光源とを備え、複数の前記第１プリズムの集合体によって前記第１光源からの光を反射して第１パターンが形成され、複数の前記第２プリズムの集合体によって前記第２光源からの光を反射して第２パターンが形成された表示装置において、前記第１光源と前記第１プリズムの中心とを結ぶ線分の方向と、前記第１プリズムの長手方向に垂直な方向との成す角度θｒ７が、−４５°／４ ≦ θｒ７ ≦４５°／４を満たして前記第１パターンの範囲内で複数の各前記第１プリズムの角度θｒ７がランダムに分散しており、前記第２光源と前記第２プリズムの中心とを結ぶ線分の方向と、前記第２プリズムの長手方向に垂直な方向との成す角度θｒ１０が、−４５°／４ ≦ θｒ１０ ≦４５°／４を満たして前記第２パターンの範囲内で複数の各前記第２プリズムの角度θｒ１０がランダムに分散している、ことを特徴とする。
【００２２】
また、本発明の表示装置は、端面から入射した光を伝搬するとともに、反射面に設けられた第１，第２プリズムで反射させ、前記反射面と向かい合う出射面から出射させる導光板と、前記導光板の端面に光を入射させる複数の第１光源と、前記導光板の端面に光を入射させる複数の第２光源とを備え、複数の前記第１プリズムの集合体によって前記第１光源からの光を反射して第１パターンが形成され、複数の前記第２プリズムの集合体によって前記第２光源からの光を反射して第２パターンが形成された表示装置において、前記第１光源の両端の間隔は前記第１パターンの幅より小さく、前記第２光源の両端の間隔は前記第２パターンの幅より小さく、前記第１光源の両端と前記第１パターンの端とを結ぶ線分の交点と、前記第１光源の両端の３点で形成される領域内の点と、前記第１プリズムの中心とを結ぶ線分の方向と、前記第１プリズムの長手方向に垂直な方向との成す角度θｒ７が、−４５°／４ ≦ θｒ７ ≦４５°／４を満たして前記第１パターンの範囲内で複数の各前記第１プリズムの角度θｒ７がランダムに分散しており、前記第２光源の端と前記第２パターンの端とを結ぶ線分の交点と、前記第２光源の両端の３点で形成される領域内の点と、前記第２プリズムの中心とを結ぶ線分の方向と、前記第２プリズムの長手方向に垂直な方向との成す角度θｒ１０が、−４５°／４ ≦ θｒ１０ ≦４５°／４を満たして前記第２パターンの範囲内で複数の各前記第２プリズムの角度θｒ１０がランダムに分散している、ことを特徴とする。
【００２３】
また、本発明の表示装置は、端面から入射した光を伝搬するとともに、反射面に設けられた第１，第２プリズムで反射させ、前記反射面と向かい合う出射面から出射させる導光板と、前記導光板の端面に光を入射させる第１光源と、前記導光板の端面に光を入射させる第２光源とを備え、複数の前記第１プリズムの集合体によって前記第１光源からの光を反射して第１パターンが形成され、複数の前記第２プリズムの集合体によって前記第２光源からの光を反射して第２パターンが形成された表示装置において、複数の前記第１光源の両端の間隔は、前記第１パターンの幅より小さく、複数の前記第２光源の両端の間隔は、前記第２パターンの幅より小さく、前記第１光源の両端と前記第１パターンの端とを結ぶ線分の交点の３点で形成される領域内の点と、前記第１プリズムの中心とを結ぶ線分の方向と、前記第１プリズムの長手方向と垂直な方向との成す角度θｒ７が、−４５°／４ ≦ θｒ７ ≦４５°／４を満たして前記第１パターンの範囲内で複数の各前記第１プリズムの角度θｒ７がランダムに分散しており、前記第２光源の両端と前記第２パターンの端とを結ぶ線分の交点の３点で形成される領域内の点と、前記第２プリズムの中心とを結ぶ線分の方向と、前記第２プリズムの長手方向と垂直な方向との成す角度θｒ１０が、−４５°／４ ≦ θｒ１０ ≦４５°／４を満たして前記第２パターンの範囲内で複数の各前記第２プリズムの角度θｒ１０がランダムに分散している、ことを特徴とする。
【発明の効果】
【００２４】
この構成によれば、光源の中心と第１プリズムの中心とを結ぶ線分の方向と、第１プリズムの長手方向に垂直な方向との成す角度θｒをランダムに分散させているので、視点の位置によって絵柄の一部が暗くなってしまう、あるいは導光板の反りや撓みによって絵柄の一部が暗くなってしまうことを低減できる。
【図面の簡単な説明】
【００２５】
【図１】本発明の実施の形態１に係る表示装置の（ａ）正面図と（ｂ）側面図および（ｃ）光源とプリズム反射面の角度の説明図
【図２】プリズムの拡大射視図
【図３】本発明の実施の形態２に係る表示装置の（ａ）正面図と（ｂ）側面図
【図４】本発明の実施の形態３に係る表示装置の（ａ）正面図と（ｂ）側面図および（ｃ）光源とプリズム反射面の角度の説明図
【図５】本発明の実施の形態４に係る表示装置の（ａ）正面図と（ｂ）側面図
【図６】本発明の実施の形態５に係る表示装置の（ａ）正面図と（ｂ）側面図および（ｃ）光源とプリズム反射面の角度の説明図
【図７】本発明の実施の形態６に係る表示装置の（ａ）正面図と（ｂ）側面図
【図８】本発明の実施の形態７に係る表示装置の（ａ）正面図と（ｂ）側面図
【図９】本発明の実施の形態８に係る表示装置の（ａ）正面図と（ｂ）側面図
【図１０】本発明の実施の形態９に係る表示装置の（ａ）斜視図と（ｂ）正面図
【図１１】本発明の表示装置を搭載した遊技装置の正面図
【図１２】従来の表示装置の（ａ）正面図と（ｂ）側面図
【図１３】（ａ）遊技者の目が導光板の正面位置Ｉにある場合と正面からずれた位置IIにある場合の一つのプリズムの見え方の説明図と（ｂ）導光板の複数のプリズムにあてはめた時の概略説明図
【図１４】（ａ）プリズムの集合体で形成されたパターンの説明図と、（ｂ）見え方の一例としてパターンの絵柄中に暗部が生じてしまう状態の説明図
【図１５】撓みのある導光板１０１を正面位置Ｉから見た状況の説明図
【発明を実施するための形態】
【００２６】
以下、本発明の各実施の形態を図面に基づいて説明する。
【００２７】
（実施の形態１）
図１（ａ）（ｂ）（ｃ）と図２は本発明の実施の形態１を示す。
【００２８】
図１（ａ）（ｂ）に示したこの表示装置は、平板形状の光透過性を有する導光板１と、第１光源４を有している。導光板１は、平面形状が矩形の反射面２と平面形状が矩形で反射面２と対向する出射面６の間の端面である入射面５を有し、入射面５から導入した光を出射面６に向けて反射する複数の第１プリズム７が反射面２に形成されている。
【００２９】
第１プリズム７の形状の一例を図２に示す。第１プリズム７は、斜面２１と斜面２２とを有し、これらの面の１辺が繋がっている。繋がった辺２４の線分が長手方向となる。斜面２１の底辺の中心２３がプリズムの中心である。
【００３０】
複数の第１プリズム７は、第１パターン３の領域内に配列されている。図１（ａ）には、複数の第１プリズム７のうちの代表として７−１，７−２，７−３の３個を記載している。その他のプリズムを図示していないが、実際にはプリズムの集合体として第１パターン３の絵柄になるように多数のプリズムが存在する。
【００３１】
第１光源４を発光させると、入射面５から導光板１の内部に入射して伝搬した光は、複数の第１プリズム７によって反射されて第１パターン３の絵柄が表示される。第１光源４の中心と第１プリズム７−１の中心２３を結ぶ線分の方向と、第１プリズム７−１の長手方向と垂直な方向とのなす角度が△θ７−１である。
【００３２】
同じく、第１光源４と第１プリズム７−２を結ぶ線分の方向と、第１プリズム７−２の長手方向と垂直な方向とのなす角度が△θ７−２である。第１光源４と第１プリズム７−３を結ぶ線分の方向と、第１プリズム７−３の長手方向と垂直な方向とのなす角度が△θ７−３である。
【００３３】
この角度について図１（ｃ）で説明する。
【００３４】
第１光源４の中心と第１プリズム７−３の中心とを結ぶ線分と基準方向Ｙとの角度をθＬ７−３、第１プリズム７−３の長手方向と垂直な方向と基準方向Ｙとのなす角度をθｐ７−３とする。△θ７−３は、以下で表される。
【００３５】
△θ７−３ ＝ （θＬ７−３）−（θｐ７−３）
△θ７−１，△θ７−２も同様に表される。これらの、△θ７−１，△θ７−２，△θ７−３を、以下の範囲でランダムな角度として与える。
【００３６】
｜△θ７−１｜ ≦ ４５°／２
｜△θ７−２｜ ≦ ４５°／２
｜△θ７−３｜ ≦ ４５°／２
このランダムな角度によって、第１光源４からの光は第１プリズム７で広い角度に広げられる。その角度は、光の反射の法則から、反射角度の２倍の角度として、およそ±４５°の範囲に広げられることになる。各プリズムはランダムに角度を有するため、ある方向から見た時、一部のプリズムからの光が目に届く。ところどころのプリズムから見える光の集合体として、第１パターン３の絵柄が認識される。このように第１パターン３の絵柄として認識できる範囲は、上記のように、およそ±４５°となる。また、導光板１に、成形等で反りや撓みが生じて導光板１内で光を導光する際に反射角度が変化しても、複数の第１プリズム７の向きにランダムな角度が設定されているため、どれかのプリズムで光を目の方向へ反射することになり、第１パターン３の絵柄を認識できる。
【００３７】
なお、ランダムな角度の範囲を大きくするほど、第１パターン３の絵柄として正しく認識できる角度は広くなるが、４５°より大きくなると、光の広がりが大きくなり、見る方向に出射する光の割合が小さくなり、暗くなってしまう。ランダム角度は４５°よりも小さいほうが良い。一例として、第１パターン３の面積は２０００ｍｍ２以上３０００ｍｍ２以下で、プリズムは１００００個以上、１００００００個以下とした。つまり、１ｍｍ２あたり３．３個以上、５００個以下のプリズムを配列した。
【００３８】
前記ランダムとは、±４５°／２内の分布を正規分布と近似し、正規分布の分散σにおいて、θｒ＝０の割合が、１σに相当する約７０％と同じかそれより少ない状態であって、パターン３の範囲内の第１プリズム７の総個数をｎＡ、角度θｒ＝０の第１プリズム７の個数をｎ０とした時に、ｎ０／ｎＡ ≦ ７０％である。
【００３９】
（実施の形態２）
図３（ａ）（ｂ）は本発明の実施の形態２を示す。
【００４０】
なお、プリズムの形状など、特に説明のない箇所は実施の形態１と同じである。
【００４１】
この表示装置の導光板１の反射面２には、第１パターン３の領域内に複数の第１プリズム７が配列され、第２パターン８の領域内に複数の第２プリズム１０が配列されている。第２プリズム１０の形状は、図２に示した第１プリズム７の形状の一例と同じである。
【００４２】
第１プリズム７は、第１光源４から発して入射面５から導光板１内に入射した可視光を出射面６へ向けて反射する。第２プリズム１０は、第２光源９から発して入射面５から導光板１内に入射した光を出射面６へ向けて反射する。図３（ａ）には、第１，第２プリズム７，１０のうちの代表として７−１，１０−１のみ記載している。その他のプリズムを図示していないが、実際にはプリズムの集合体として第１パターン３や第２パターン８になるように多数のプリズムが存在する。第２光源９を消灯し、第１光源４を発光させると、第１パターン３の絵柄が表示され、第１光源４を消灯し、第２光源９を発光させると、第２パターン８の絵柄が表示される。
【００４３】
第１光源４の中心と第１プリズム７−１の中心を結ぶ線分の方向と、第１プリズム７−１の長手方向と垂直な方向とのなす角度が△θ７−１である。同じく、第２光源９の中心と第２プリズム１０−１の中心を結ぶ線分の方向と、第２プリズム１０−１の長手方向と垂直な方向とのなす角度が△θ１０−１である。
【００４４】
これらの△θ７−１，△θ１０−１を、以下の範囲でランダムな角度として与える。
【００４５】
｜△θ７−１｜ ≦ ４５°／４
｜△θ１０−１｜ ≦ ４５°／４
このランダムな角度によって、第１，第２光源４，９からの光は、それぞれ第１，第２プリズム７，１０で広い角度に広げられる。その角度は、光の反射の法則から、反射角度の２倍の角度として、およそ±４５°／２の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°／２となる。また、導光板１に、成形等で反りや撓みが生じて導光板１内で光を導光する際に反射角度が変化しても、第１，第２プリズム７，１０の向きにランダムな角度が設定されているため、何れかのプリズムで光を目の方向へ反射することになり、第１パターン３，第２パターン８の絵柄を認識できる。
【００４６】
（実施の形態３）
図４（ａ）（ｂ）（ｃ）は本発明の実施の形態３を示す。
【００４７】
なお、プリズムの形状など、特に説明のない箇所は実施の形態１と同じである。
【００４８】
この表示装置の導光板１の反射面２には、第１パターン３の領域内に複数の第１プリズム７が配列されている。第１プリズム７は、２つの第１光源４−１，４−２から発して入射面５から導光板１内に入射した可視光を出射面６へ向けて反射する。図４（ａ）には、複数の第１プリズム７のうちの代表として７−１，７−２，７−３の３個を記載している。その他のプリズムを図示していないが、実際にはプリズムの集合体として第１パターン３になるように多数のプリズムが存在する。第１光源４−１，４−２を発光させると、第１パターン３の絵柄が表示される。
【００４９】
第１光源４−１，４−２の両端の点をそれぞれ４−１Ｌ，４−２Ｒとする。第１光源４−１，４−２の両端の幅Ｗ４は、第１パターン３の幅Ｗ３より小さい。点４−１Ｌと４−２Ｒから、第１パターン３の端を結んだ線を、それぞれ３Ｌ，３Ｒとする。線分３Ｌと３Ｒの交点を４−ｘとする。点４−１Ｌ，４−２Ｒ，４−ｘの３点で囲まれる領域内の点４−ｃと、第１プリズム７−１の中心を結ぶ線分の方向と、第１プリズム７−１の長手方向と垂直な方向とのなす角度が△θ７−１である。同じく、点４−ｃと第１プリズム７−２の中心を結ぶ線分の方向と、第１プリズム７−２の長手方向と垂直な方向とのなす角度が△θ７−２であり、点４−ｃと第１プリズム７−３の中心を結ぶ線分の方向と、第１プリズム７−３の長手方向と垂直な方向とのなす角度が△θ７−３である。
【００５０】
この角度について図４（ｃ）で説明する。
【００５１】
導光板１に、ある基準方向Ｙを設定する。上記の点４−ｃと第１プリズム７−３とを結ぶ線分と基準方向Ｙとの角度がθＬ７−３、第１プリズム７−３の長手方向と垂直な方向と基準方向Ｙとのなす角度がθｐ７−３とする。△θ７−３は、以下で表される。
【００５２】
△θ７−３ ＝ （θＬ７−３）−（θｐ７−３）
△θ７−１，△θ７−２も同様に表される。これらの、△θ７−１，△θ７−２，△θ７−３を、以下の範囲でランダムな角度として与える。
【００５３】
｜△θ７−１｜ ≦ ４５°／２
｜△θ７−２｜ ≦ ４５°／２
｜△θ７−３｜ ≦ ４５°／２
このランダムな角度によって、第１光源４からの光は第１プリズム７で広い角度に広げられる。その角度は、光の反射の法則から、反射角度の２倍の角度として、およそ±４５°の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°となる。また、導光板１に、成形等で反りや撓みが生じて導光板１内で光を導光する際に反射角度が変化しても、複数の第１プリズム７の向きにランダムな角度が設定されているため、どれかのプリズムで光を目の方向へ反射することになり、第１パターン３を認識できる。
【００５４】
なお、ランダムな角度の範囲を大きくするほど、第１パターン３として正しく認識できる角度は広くなるが、４５°より大きくなると、光の広がりが大きくなり、見る方向に出射する光の割合が小さくなり、暗くなってしまう。ランダム角度は４５°よりも小さいほうが良い。
【００５５】
また、点４−ｃは、点４−１Ｌ，４−２Ｒ，４−ｘの３点で囲まれる領域内の１点で記載したが、複数の点を設定しても同じ効果が得られる。
【００５６】
（実施の形態４）
図５（ａ）（ｂ）は本発明の実施の形態４を示す。
【００５７】
なお、プリズムの形状など、特に説明のない箇所は実施の形態１と同じである。
【００５８】
この表示装置の導光板１の反射面２には、第１パターン３の領域内に複数の第１プリズム７が配列され、第２パターン８の領域内に複数の第２プリズム１０が配列されている。第２プリズム１０の形状は、図２に示した第１プリズム７の形状の一例と同じである。
【００５９】
第１プリズム７は、第１光源４−１，４−２からなる第１光源群から発して入射面５から導光板１内に入射した可視光を出射面６へ向けて反射する。第２プリズム１０は、第２光源９−１，９−２からなる第２光源群から発して入射面５から導光板１内に入射した光を出射面６へ向けて反射する。図５（ａ）には、複数の第１，第２プリズム７，１０のうちの代表として７−１，１０−１のみ記載している。その他のプリズムを図示していないが、実際にはプリズムの集合体として第１パターン３や第２パターン８になるような多数のプリズムが存在する。第２光源９−１，９−２を消灯し、第１光源４−１，４−２を発光させると、第１パターン３の絵柄が表示され、第１光源４−１，４−２を消灯し、第２光源９−１，９−２を発光させると、第２パターン８の絵柄が表示される。
【００６０】
第１光源４−１，４−２の両端の点をそれぞれ４−１Ｌ，４−２Ｒとする。第１光源４−１，４−２の両端の幅Ｗ４は、第１パターン３の幅Ｗ３より小さい。点４−１Ｌと４−２Ｒから、第１パターン３の端を結んだ線を、それぞれ３Ｌ，３Ｒとする。線分３Ｌと３Ｒの交点を４−ｘとする。
【００６１】
同様に、第２光源９−１，９−２の両端の点をそれぞれ９−１Ｌ，９−２Ｒとする。第２光源９−１，９−２の両端の幅Ｗ９は、第２パターン８の幅Ｗ８より小さい。点９−１Ｌと９−２Ｒから、第２パターン８の端を結んだ線を、それぞれ８Ｌ，８Ｒとする。線分８Ｌと８Ｒの交点を９−ｘとする。
【００６２】
点４−１Ｌ，４−２Ｒ，４−ｘの３点で囲まれる領域内の点４−ｃと、第１プリズム７−１の中心を結ぶ線分の方向と、第１プリズム７−１の長手方向と垂直な方向とのなす角度が△θ７−１である。
【００６３】
同じく、点９−１Ｌ，９−２Ｒ，９−ｘの３点で囲まれる領域内の点９−ｃと、第２プリズム１０−１の中心を結ぶ線分の方向と、第２プリズム１０−１の長手方向と垂直な方向とのなす角度が△θ１０−１である。
【００６４】
これらの△θ７−１，△θ１０−１を、以下の範囲でランダムな角度として与える。
【００６５】
｜△θ７−１｜ ≦ ４５°／４
｜△θ１０−１｜ ≦ ４５°／４
このランダムな角度によって、第１，第２光源４−１，４−２，９−１，９−２からの光は、それぞれ第１，第２プリズム７，１０で広い角度に広げられる。その角度は、光の反射の法則から、反射角度の２倍の角度として、およそ±４５°／２の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°／２となる。また、導光板１に、成形等で反りや撓みが生じて導光板１内で光を導光する際に反射角度が変化しても、第１プリズム７，第２プリズム１０の向きにランダムな角度が設定されているため、何れかのプリズムで光を目の方向へ反射することになり、第１パターン３、第２パターン８を認識できる。
【００６６】
なお、第２光源９−１，９−２を消灯し第１光源４−１，４−２を光らせた時に、第１光源４−１，４−２に対応する第１プリズム７だけでなく、第２光源９−１，９−２に対応する第２プリズム１０からの光も目に届くようになってしまい、絵柄を分離して表示できなくなってくる。絵柄を分離して表示させるには、ランダムな角度の範囲を±５°以下にすることが望ましい。
【００６７】
（実施の形態５）
図６（ａ）（ｂ）（ｃ）は本発明の実施の形態５を示す。
【００６８】
なお、プリズムの形状など、特に説明のない箇所は実施の形態１と同じである。
【００６９】
この表示装置の導光板１の反射面２には、第１パターン３の領域内に複数の第１プリズム７が配列されている。第１プリズム７は、複数の第１光源４−１，４−２，・・・，４−ｎからなる光源群を発して入射面５から導光板１内に入射した可視光を出射面６へ向けて反射する。図６（ａ）には、複数の第１プリズム７のうちの代表として７−１，７−２，７−３の３個を記載している。その他のプリズムを図示していないが、実際にはプリズムの集合体として第１パターン３になるような多数のプリズムが存在する。第１光源４−１〜４−ｎを発光させると、第１パターン３の絵柄が表示される。
【００７０】
第１光源４−１，４−２，・・・，４−ｎの両端の点をそれぞれ４−１Ｌ，４−ｎＲとする。第１光源４−１，４−２，・・・，４−ｎの両端の幅Ｗ４は、第１パターン３の幅Ｗ３より小さい。点４−１Ｌと４−ｎＲから、第１パターン３の端を結んだ線を、それぞれ３Ｌ，３Ｒとする。線分３Ｌと３Ｒの交点を４−ｘとする。
【００７１】
点４−１Ｌ，４−ｎＲ，４−ｘの３点で囲まれる領域内の点４−ｃと、第１プリズム７−１の中心を結ぶ線分の方向と、第１プリズム７−１の長手方向と垂直な方向とのなす角度が△θ７−１である。同じく、点４−ｃと第１プリズム７−２の中心を結ぶ線分の方向と、第１プリズム７−２の長手方向と垂直な方向とのなす角度が△θ７−２であり、点４−ｃと第１プリズム７−３の中心を結ぶ線分の方向と、第１プリズム７−３の長手方向と垂直な方向とのなす角度が△θ７−３である。
【００７２】
この角度について図６（ｃ）で説明する。
【００７３】
導光板１に、ある基準方向Ｙを設定する。点４−ｃと第１プリズム７−３とを結ぶ線分と基準方向Ｙとの角度がθＬ７−３、第１プリズム７−３の長手方向と垂直な方向と基準方向Ｙとのなす角度がθｐ７−３とする。△θ７−３は、以下で表される。
【００７４】
△θ７−３ ＝ （θＬ７−３）−（θｐ７−３）
△θ７−１，△θ７−２も同様に表される。これらの、△θ７−１，△θ７−２，△θ７−３を、以下の範囲でランダムな角度として与える。
【００７５】
｜△θ７−１｜ ≦ ４５°／２
｜△θ７−２｜ ≦ ４５°／２
｜△θ７−３｜ ≦ ４５°／２
このランダムな角度によって、第１光源４−１，４−２，・・・，４−ｎの光源群からの光は第１プリズム７で広い角度に広げられる。その角度は、光の反射の法則から、反射角度の２倍の角度として、およそ±４５°の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°となる。また、導光板１に、成形等で反りや撓みが生じて導光板１内で光を導光する際に反射角度が変化しても、第１プリズム７の向きにランダムな角度が設定されているため、どれかのプリズムで光を目の方向へ反射することになり、第１パターン３を認識できる。
【００７６】
なお、ランダムな角度の範囲を大きくするほど、第１パターン３として正しく認識できる角度は広くなるが、４５°より大きくなると、光の広がりが大きくなり、見る方向に出射する光の割合が小さくなり、暗くなってしまう。ランダム角度は４５°よりも小さいほうが良い。
【００７７】
（実施の形態６）
図７（ａ）（ｂ）本発明の実施の形態６を示す。
【００７８】
なお、プリズムの形状など、特に説明のない箇所は実施の形態１と同じである。
【００７９】
この表示装置の導光板１の反射面２には、第１パターン３の領域内に複数の第１プリズム７が配列され、第２パターン８の領域内に複数の第２プリズム１０が配列されている。第２プリズム１０の形状は、図２に示した第１プリズム７の形状の一例と同じである。
【００８０】
第１プリズム７は、第１光源４−１，４−２，・・・，４−ｎからなる第１光源群から発して入射面５から導光板１内に入射した可視光を出射面６へ向けて反射する。第２プリズム１０は、第２光源９−１，９−２，・・・，９−ｎからなる第２光源群から発して入射面５から導光板１内に入射した光を出射面６へ向けて反射する。図７（ａ）には、複数の第１，第２プリズム７，１０のうちの代表として７−１，１０−１のみ記載している。その他のプリズムを図示していないが、実際にはプリズムの集合体として第１パターン３や第２パターン８になるような多数のプリズムが存在する。第２光源９−１，９−２，・・・，９−ｎを消灯し、第１光源４−１，４−２，・・・，４−ｎを発光させると、第１パターン３の絵柄が表示され、第１光源４−１，４−２，・・・，４−ｎを消灯し、第２光源９−１，９−２，・・・，９−ｎを発光させると、第２パターン８の絵柄が表示される。
【００８１】
第１光源４−１，４−２，・・・，４−ｎの両端の点をそれぞれ４−１Ｌ、４−ｎＲとする。第１光源４−１，４−２，・・・，４−ｎの両端の幅Ｗ４は、第１パターン３の幅Ｗ３より小さい。点４−１Ｌと４−ｎＲから、第１パターン３の端を結んだ線を、それぞれ３Ｌ，３Ｒとする。線分３Ｌと３Ｒの交点を４−ｘとする。
【００８２】
同様に、第２光源９−１，９−２，・・・，９−ｎの両端の点をそれぞれ９−１Ｌ，９−ｎＲとする。第２光源９−１，９−２，・・・，９−ｎの両端の幅Ｗ９は、第２パターン８の幅Ｗ８より小さい。点９−１Ｌと９−２Ｒから、第２パターン８の端を結んだ線を、それぞれ８Ｌ，８Ｒとする。線分８Ｌと８Ｒの交点を９−ｘとする。
【００８３】
点４−１Ｌ，４−２Ｒ，４−ｘの３点で囲まれる領域内の点４−ｃと、第１プリズム７−１の中心を結ぶ線分の方向と、第１プリズム７−１の長手方向と垂直な方向とのなす角度が△θ７−１である。
【００８４】
同じく、点９−１Ｌ，９−２Ｒ，９−ｘの３点で囲まれる領域内の点９−ｃと、第２プリズム１０−１の中心を結ぶ線分の方向と、第２プリズム１０−１の長手方向と垂直な方向とのなす角度が△θ１０−１である。
【００８５】
これらの、△θ７−１，△θ１０−１を、以下の範囲でランダムな角度として与える。
【００８６】
｜△θ７−１｜ ≦ ４５°／４
｜△θ１０−１｜ ≦ ４５°／４
このランダムな角度によって、第１光源４−１，４−２，・・・，４−ｎ，第２光源９−１，９−２，・・・，９−ｎからの光は、それぞれ第１，第２プリズム７，１０で広い角度に広げられる。その角度は、光の反射の法則から、反射角度の２倍の角度として、およそ±４５°／２の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°／２となる。また、導光板１に、成形等で反りや撓みが生じて導光板１内で光を導光する際に反射角度が変化しても、第１，第２プリズム７，１０の向きにランダムな角度が設定されているため、どれかのプリズムで光を目の方向へ反射することになり、第１，第２パターン３，８を認識できる。
【００８７】
なお、第２光源９−１，９−２，・・・，９−ｎを消灯し第１光源４−１〜４−ｎを光らせた時に、第１光源４−１〜４−ｎに対応する第１プリズム７だけでなく、第２光源９−１〜９−ｎに対応する第２プリズム１０からの光も目に届くようになってしまい、絵柄を分離して表示できなくなってくる。絵柄を分離して表示させるには、ランダムな角度の範囲を±５°以下にすることが望ましい。
【００８８】
（実施の形態７）
図８（ａ）（ｂ）は本発明の実施の形態７を示す。
【００８９】
なお、プリズムの形状など、特に説明のない箇所は実施の形態１と同じである。
【００９０】
この表示装置の導光板１の反射面２には、第１パターン３の領域内に複数の第１プリズム７が配列されている。第１プリズム７は、複数の第１光源４−１，４−２，・・・，４−ｎからなる光源群を発して入射面５から導光板１内に入射した可視光を出射面６へ向けて反射する。図８（ａ）には、複数の第１プリズム７のうちの代表として７−１，７−２，７−３の３個を記載している。その他のプリズムを図示していないが、実際にはプリズムの集合体として第１パターン３になるような多数のプリズムが存在する。第１光源４−１〜４−ｎを発光させると、第１パターン３の絵柄が表示される。
【００９１】
第１光源４−１〜４−ｎのうち第１プリズム７−１が最も近い光源（図８では、第１光源４−１）と第１プリズム７−１の中心を結ぶ線分の方向と、第１プリズム７−１の長手方向と垂直な方向とのなす角度が△θ７−１である。同じく、第１光源４−１〜４−ｎのうち第１プリズム７−２が最も近い光源（図８では第１光源４−ｎ）と第１プリズム７−２の中心を結ぶ線分の方向と、第１プリズム７−２の長手方向と垂直な方向とのなす角度が△θ７−２である。同じく、第１光源４−１〜４−ｎのうち第１プリズム７−３が最も近い光源（図８では第１光源４−２）と第１プリズム７−３の中心を結ぶ線分の方向と、第１プリズム７−３の長手方向と垂直な方向とのなす角度が△θ７−３である。
【００９２】
これらの△θ７−１，△θ７−２，△θ７−３を、以下の範囲でランダムな角度として与える。
【００９３】
｜△θ７−１｜ ≦ ４５°／２
｜△θ７−２｜ ≦ ４５°／２
｜△θ７−３｜ ≦ ４５°／２
このランダムな角度によって、第１光源４−１，４−２，・・・，４−ｎの光源群からの光は第１プリズム７で広い角度に広げられる。その角度は、光の反射の法則から、反射角度の２倍の角度として、およそ±４５°の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°となる。また、導光板１に、成形等で反りや撓みが生じて導光板１内で光を導光する際に反射角度が変化しても、第１プリズム７の向きにランダムな角度が設定されているため、どれかのプリズムで光を目の方向へ反射することになり、第１パターン３を認識できる。
【００９４】
なお、ランダムな角度の範囲を大きくするほど、第１パターン３として正しく認識できる角度は広くなるが、４５°より大きくなると、光の広がりが大きくなり、見る方向に出射する光の割合が小さくなり、暗くなってしまう。ランダム角度は４５°よりも小さいほうが良い。
【００９５】
（実施の形態８）
図９（ａ）（ｂ）は本発明の実施の形態８を示す。
【００９６】
なお、プリズムの形状など、特に説明のない箇所は実施の形態１と同じである。
【００９７】
この表示装置の導光板１の反射面２には、第１パターン３の領域内に複数の第１プリズム７が配列され、第２パターン８の領域内に複数の第２プリズム１０が配列されている。第２プリズム１０の形状は、図２に示した第１プリズム７の形状の一例と同じである。
【００９８】
第１プリズム７は、第１光源４から発して入射面５から導光板１内に入射した可視光を出射面６へ向けて反射する。第２プリズム１０は、第２光源９から発して入射面５ｂから導光板１内に入射した光を出射面６へ向けて反射する。入射面５ｂは、導光板１の反射面２と出射面６の間の側面で入射面５に隣接している。図９（ａ）には、複数の第１，第２プリズム７，１０のうちの代表として７−１，１０−１のみ記載している。その他のプリズムを図示していないが、実際にはプリズムの集合体として第１パターン３や第２パターン８になるような多数のプリズムが存在する。第２光源９を消灯し、第１光源４を発光させると、第１パターン３の絵柄が表示され、第１光源４を消灯し、第２光源９を発光させると、第２パターン８の絵柄が表示される。
【００９９】
第１光源４と第１プリズム７−１の中心を結ぶ線分の方向と、第１プリズム７−１の長手方向と垂直な方向とのなす角度が△θ７−１である。同じく、第２光源９と第２プリズム１０−１の中心を結ぶ線分の方向と、第２プリズム１０−１の長手方向と垂直な方向とのなす角度が△θ１０−１である。
【０１００】
これらの、△θ７−１，△θ１０−１を、以下の範囲でランダムな角度として与える。
【０１０１】
｜△θ７−１｜ ≦ ４５°／４
｜△θ１０−１｜ ≦ ４５°／４
このランダムな角度によって、第１，第２光源４，９からの光は、それぞれ第１，第２プリズム７，１０で広い角度に広げられる。その角度は、光の反射の法則から、反射角度の２倍の角度として、およそ±４５°／２の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ４５°／２となる。また、導光板１に、成形等で反りや撓みが生じて導光板１内で光を導光する際に反射角度が変化しても、第１，第２プリズム７，１０の向きにランダムな角度が設定されているため、どれかのプリズムで光を目の方向へ反射することになり、第１，第２パターン３，８を認識できる。
【０１０２】
なお、ランダムな角度の範囲を大きくするほど、第１パターン３として正しく認識できる角度は広くなるが、４５°より大きくなると、光の広がりが大きくなり、見る方向に出射する光の割合が小さくなり、暗くなってしまう。さらに、第２光源９を消灯し第１光源４を光らせた時に、第１光源４に対応する第１プリズム７だけでなく、第２光源９に対応する第２プリズム１０からの光も目に届くようになってしまい、絵柄を分離して表示できなくなってくる。絵柄を分離して表示させるには、ランダムな角度の範囲を±５°以下にすることが望ましい。
【０１０３】
（実施の形態９）
図１０（ａ）（ｂ）は本発明の実施の形態９を示す。
【０１０４】
なお、プリズムの形状など、特に説明のない箇所は実施の形態１と同じである。
【０１０５】
この表示装置の導光板１の反射面２には、第１パターン３の領域内に複数の第１プリズム７が配列されている。第１プリズム７は、第１光源４から発して立体的な導光部５１から入射面５を通って入射した可視光を出射面６へ向けて反射する。立体的な導光板５１とは、図１で示したような平板でなく、例えば平面から折り曲げられたような形状の導光板を示す。
【０１０６】
図１０（ｂ）には、複数の第１プリズム７のうちの代表として７−１，７−２，７−３の３個を記載している。その他のプリズムを図示していないが、実際にはプリズムの集合体として第１パターン３になるような多数のプリズムが存在する。第１光源４を発光させると、第１パターン３の絵柄が表示される。
【０１０７】
導光部５１が入射面５とつながる部位の中心にあたる点を４０とする。第１光源４から導光部５１を通って、絵柄パターンが形成される導光板の反射面２に光が導光される。反射面２に照射される光は、入射面５と導光部５１とが接続された部位から伝搬してくるため、その中心である４０は仮想的に光源とみなせる。４０と第１プリズム７−１を結ぶ線分の方向と、第１プリズム７−１の長手方向と垂直な方向とのなす角度が△θ７−１である。同じく、４０と第１プリズム７−２を結ぶ線分の方向と、第１プリズム７−２の長手方向と垂直な方向とのなす角度が△θ７−２であり、４０と第１プリズム７−３を結ぶ線分の方向と、第１プリズム７−３の長手方向と垂直な方向とのなす角度が△θ７−３である。これらの、△θ７−１，△θ７−２，△θ７−３を、以下の範囲でランダムな角度として与える。
【０１０８】
｜△θ７−１｜ ≦ ４５°／２
｜△θ７−２｜ ≦ ４５°／２
｜△θ７−３｜ ≦ ４５°／２
このランダムな角度によって、第１光源４からの光は第１プリズム７で広い角度に広げられる。その角度は、光の反射の法則から、反射角度の２倍の角度として、およそ±４５°の範囲に広げられることになる。各プリズムはランダムに角度を有するため、ある方向から見た時、一部のプリズムからの光が目に届く。ところどころのプリズムから見える光の集合体として、第１パターン３の絵柄を認識できる。このように第１パターン３として認識できる範囲は、上記のように、およそ±４５°となる。また、導光板１に、成形等で反りや撓みが生じて導光板１内で光を導光する際に反射角度が変化しても、第１プリズム７の向きにランダムな角度が設定されているため、どれかのプリズムで光を目の方向へ反射することになり、第１パターン３を認識できる。
【０１０９】
なお、ランダムな角度の範囲を大きくするほど、第１パターン３として正しく認識できる角度は広くなるが、４５°より大きくなると、光の広がりが大きくなり、見る方向に出射する光の割合が小さくなり、暗くなってしまう。ランダム角度は４５°よりも小さいほうが良い。
【０１１０】
本発明の各実施の形態では、プリズムの向きにランダムな角度が設定したため、視点の位置が変動しても表示絵柄を見えやすくできたが、これに対して図１２などに挙げた従来の表示装置では、複数のプリズムの向きは光源に正対であって、ランダムな角度が設定されていない。
【０１１１】
（実施の形態１０）
図１１は本発明の表示装置を使用したパチンコ等の遊技装置を示す。
【０１１２】
２０は遊戯機本体の模式図であり、実施の形態１〜９で説明した導光板１の周辺に発光ダイオードなどの光源が配置されるが省略している。遊戯者の視点の位置の変動に対応するため、実施の形態１〜９で説明した何れかの導光板１を使い、これにより表示絵柄を見えやすくしている。
【産業上の利用可能性】
【０１１３】
本発明は、例えば、家庭用、産業用、車載向けなどの電気機器や装置、あるいは遊戯装置などに用いられる表示装置の品質の向上に寄与する。
【符号の説明】
【０１１４】
１    導光板
２    反射面
３，８    第１，第２パターン
４，９    第１，第２光源
５    入射面
６    出射面
７，１０    第１，第２プリズム
２０    遊戯機本体
【図１】
2019139113.tif 000003
【図２】
2019139113.tif 000004
【図３】
2019139113.tif 000005
【図４】
2019139113.tif 000006
【図５】
2019139113.tif 000007
【図６】
2019139113.tif 000008
【図７】
2019139113.tif 000009
【図８】
2019139113.tif 000010
【図９】
2019139113.tif 000011
【図１０】
2019139113.tif 000012
【図１１】
2019139113.tif 000013
【図１２】
2019139113.tif 000014
【図１３】
2019139113.tif 000015
【図１４】
2019139113.tif 000016
【図１５】
2019139113.tif 000017